(57)【要約】【課題】ステップ回転モードによる検査を行うときの患者への負担を軽減できる核医学診断装置を提供する。【解決手段】核医学診断装置１は、被検体Ｐに投与された放射性同位元素から放出される放射線を検出する放射線検出器２１と、被検体Ｐの体軸Ｏ方向を中心に放射線検出器２１を回転移動させる回転駆動機構２２とを備える。腕が邪魔になって放射線検出器２１を胴体に近づけられない体側方向の角度方向（特定角度方向）における放射線検出と、それ以外の角度方向（通常角度方向）における放射線検出とを別々に行う。たとえば、まず、腕を上げた体位を取らせて特定角度方向の放射線検出を行い、腕を体側位置に戻させてから通常角度方向の放射線検出を行う。それにより、腕を上げた体位を取っている時間を短縮でき、患者への負担を軽減することができる。【選択図】図１
2007170892.tif 000002
【特許請求の範囲】
【請求項１】
被検体が載置される寝台と、
前記被検体に投与された放射性同位元素から放出される放射線を検出する検出手段と、
前記寝台に載置された被検体の体軸方向を中心に前記検出手段を回転移動させる回転駆動手段と、
を備え、
前記回転駆動手段により前記体軸方向を中心とする複数の角度方向に前記検出手段を順次に移動させつつ、前記複数の角度方向のそれぞれにおいて前記検出手段により前記放射線を検出する核医学診断装置であって、
前記回転駆動手段は、前記複数の角度方向のうちの１以上の角度方向に前記検出手段を順次に移動させた後に一旦停止させ、その後に前記検出手段の移動を再開して前記１以上の角度方向以外の角度方向に順次に移動させる、
ことを特徴とする核医学診断装置。
【請求項２】
前記１以上の角度方向のそれぞれは、前記複数の角度方向のうち前記被検体の体側方向の角度方向とされる、
ことを特徴とする請求項１に記載の核医学診断装置。
【請求項３】
前記被検体の腕は、前記１以上の角度方向に前記検出手段を移動させるときには前記体側方向以外の位置に配置されており、前記１以上の角度方向以外の角度方向に前記検出手段を移動させるときには前記体側方向の位置に配置されている、
ことを特徴とする請求項２に記載の核医学診断装置。
【請求項４】
前記１以上の角度方向のそれぞれは、前記複数の角度方向のうち前記被検体の体側方向以外の角度方向とされる、
ことを特徴とする請求項１に記載の核医学診断装置。
【請求項５】
前記被検体の腕は、前記１以上の角度方向に前記検出手段を移動させるときには前記体側方向の位置に配置されており、前記１以上の角度方向以外の角度方向に前記検出手段を移動させるときには前記体側方向以外の位置に配置されている、
ことを特徴とする請求項２に記載の核医学診断装置。
【請求項６】
前記複数の角度方向のうちから、前記１以上の角度方向又は前記１以上の角度方向以外の角度方向を指定するための操作手段を更に備えている、
ことを特徴とする請求項１に記載の核医学診断装置。
【請求項７】
前記回転駆動手段により、前記複数の角度方向のうちの一の角度方向に配置された前記検出手段が、該一の角度方向に隣接する角度方向以外の他の角度方向に移動されるときに、前記一の角度方向に配置された前記検出手段と前記寝台とを離反させるとともに、該離反された後に前記他の角度方向に移動された前記検出手段と、前記寝台とを近接させる近接離反手段を更に備える、
ことを特徴とする請求項１に記載の核医学診断装置。
【請求項８】
前記複数の角度方向のそれぞれに対応する記憶領域が指定された記憶手段と、
前記複数の角度方向のそれぞれにおける前記検出手段による前記放射線の検出結果に基づいて、前記複数の角度方向のそれぞれに対応する画像データを順次に形成する画像形成手段と、
該順次に形成される画像データを、前記記憶手段の前記対応する記憶領域に順次に記憶させる制御手段と、
を更に備えている、
ことを特徴とする請求項１に記載の核医学診断装置。
【請求項９】
記憶手段と、
前記複数の角度方向のそれぞれにおける前記検出手段による前記放射線の検出結果に基づいて、前記複数の角度方向のそれぞれに対応する画像データを順次に形成する画像形成手段と、
該順次に形成される画像データに、前記対応する角度方向を識別する識別情報を付与して前記記憶手段に記憶させる制御手段と、
を更に備えている、
ことを特徴とする請求項１に記載の核医学診断装置。
【請求項１０】
被検体に投与された放射性同位元素から放出される放射線を検出する検出手段を、前記被検体の体軸方向を中心とする複数の角度方向に順次に移動させつつ、前記複数の角度方向のそれぞれにおいて前記放射線の検出を行う核医学診断装置を、
前記複数の角度方向のうちの１以上の角度方向に前記検出手段を順次に移動させた後に一旦停止させ、その後に前記検出手段の移動を再開して前記１以上の角度方向以外の角度方向に順次に移動させるように機能させる、
ことを特徴とする診断用プログラム。
【発明の詳細な説明】
【技術分野】
【０００１】
本発明は、生体に投与された放射性同位元素から放出される放射線を検出し、生体内の画像を形成する核医学診断装置及びこの装置を制御するための診断用プログラムに関する。
【背景技術】
【０００２】
ＳＰＥＣＴ（Ｓｉｎｇｌｅ  Ｐｈｏｔｏｎ  Ｅｍｉｓｓｉｏｎ  Ｃｏｍｐｕｔｅｄ  Ｔｏｍｏｇｒａｐｈｙ）装置やＰＥＴ（Ｐｏｓｉｔｒｏｎ  Ｅｍｉｓｓｉｏｎ  Ｔｏｍｏｇｒａｐｈｙ）装置、更にはこれらの双方の機能を備えたＳＰＥＣＴ／ＰＥＴ装置などの核医学診断装置が臨床に供され、注目を集めている。
【０００３】
ＳＰＥＣＴ装置は、生体に投与された放射性同位元素（ＲＩ：Ｒａｄｉｏ  Ｉｓｏｔｏｐｅ）から放出されるガンマ線等の放射線を検出器で検出して、被検体内におけるＲＩの分布画像を取得することにより、体内の病変部等の画像や、血流量、脂肪酸代謝量などの機能分布画像を表示する装置である。また、ＰＥＴ装置は、複数の放射線検出器を備え、陽電子が電子と結合して消滅する際に互いに逆方向に放出される一対のガンマ線を同時検出してイメージングを行う装置である。
【０００４】
核医学診断装置は様々な検査に用いられる。たとえばＳＰＥＣＴ装置においては、患者の体軸を中心とする複数の角度方向に検出器を順次配置させ、各角度方向において放射線の検出を行う検査方法（たとえば特許文献１参照）。このような検査方法は、ステップモード、ステップ回転モードなどと呼ばれ、高詳細（高解像度）の画像を取得したい場合などに用いられる。
【０００５】
一般に、ＳＰＥＣＴ装置で検査を行う場合には、放射線検出器を患者に近接させて、体内からの放射線を効率的に検出するようになっている。そのため、患者の胸部等の胴体部分に対してステップ回転モードを行うときには、患者の両腕を頭部側に移動させ、いわゆる「バンザイ」のような体位で放射線検出を行っている（たとえば特許文献２参照）。その際、頭部側に配設されたバーを把持させるなどして腕の位置を固定できるようになっている。
【０００６】
このような「バンザイ」のような体位（「腕を上げた体位」と呼ぶ。）を取らせる理由は、胴体の側方位置で検出を行うときに、放射線検出器をできるだけ胴体に近接させたいためであり、また、胴体から放出された放射線が腕により吸収されてしまうのを防止するためである。
【０００７】
ステップ回転モードには、高詳細な画像が得られるというメリットがある一方、検査時間が長いというデメリットがある。たとえば特許文献１に記載の発明は、従来２０〜３０分程度掛かっていたステップ回転モードの検査時間を、１２分弱程度まで短縮するものである。
【０００８】
しかし、検査時間が短縮されたとは言っても、胴体に対してステップ回転モードを行う場合には、腕を上げた体位を長時間取り続ける必要があり、患者にとって身体的、精神的に大きな負担となっていた。
【０００９】
【特許文献１】特開２０００−２５８５３５号公報
【特許文献２】特開平９−３１８７５１号公報
【発明の開示】
【発明が解決しようとする課題】
【００１０】
本発明は、このような事情に鑑みてなされたもので、患者の胴体部分に対してステップ回転モードによる検査を行うときに、腕を上げた体位を取っている時間を短縮することにより、患者への負担を軽減することが可能な核医学診断装置及び診断用プログラムを提供することを目的とするものである。
【課題を解決するための手段】
【００１１】
上記目的を達成するために、請求項１に記載の発明は、被検体が載置される寝台と、前記被検体に投与された放射性同位元素から放出される放射線を検出する検出手段と、前記寝台に載置された被検体の体軸方向を中心に前記検出手段を回転移動させる回転駆動手段と、を備え、前記回転駆動手段により前記体軸方向を中心とする複数の角度方向に前記検出手段を順次に移動させつつ、前記複数の角度方向のそれぞれにおいて前記検出手段により前記放射線を検出する核医学診断装置であって、前記回転駆動手段は、前記複数の角度方向のうちの１以上の角度方向に前記検出手段を順次に移動させた後に一旦停止させ、その後に前記検出手段の移動を再開して前記１以上の角度方向以外の角度方向に順次に移動させる、ことを特徴とする。
【００１２】
また、請求項１０に記載の発明は、被検体に投与された放射性同位元素から放出される放射線を検出する検出手段を、前記被検体の体軸方向を中心とする複数の角度方向に順次に移動させつつ、前記複数の角度方向のそれぞれにおいて前記放射線の検出を行う核医学診断装置を、前記複数の角度方向のうちの１以上の角度方向に前記検出手段を順次に移動させた後に一旦停止させ、その後に前記検出手段の移動を再開して前記１以上の角度方向以外の角度方向に順次に移動させるように機能させる、ことを特徴とする診断用プログラムである。
【発明の効果】
【００１３】
本発明は、複数の角度方向のうちの１以上の角度方向に検出手段を順次に移動させた後に一旦停止させ、その後に検出手段の移動を再開して、この１以上の角度方向以外の角度方向に検出手段を順次に移動させるように構成されている。
【００１４】
したがって、ステップ回転モードによる検査を行うときに、腕が邪魔になって検出手段を胴体に近接できない角度方向を上記１以上の角度方向として検査を行うことができる。それにより、この１以上の角度方向にて放射線検出を行っている間のみ、患者は腕を上げた体位を取っていればよく、それ以外の角度方向にて放射線検出を行っている間は、腕を体側に配置させておくことができる。なお、検出手段を胴体に近接できない角度方向を、上記１以上の角度方向以外の角度方向として検査を行うことも可能である。
【００１５】
このように、本発明によれば、従来のように検査の最初から最後まで腕を上げた体位を取り続ける必要がないので、患者に与える負担の軽減を図ることが可能となる。
【発明を実施するための最良の形態】
【００１６】
本発明に係る核医学診断装置及び診断用プログラムは、胸部や腹部をステップ回転モードで検査するときに、患者の腕が邪魔になる角度方向（つまり体側方向の角度方向）での検査と、それ以外の角度方向での検査とを別々に行うことにより、腕を頭部側に固定している時間を短縮して、患者への負担軽減を図るものである。
【００１７】
以下、このような本発明の好適な実施形態の一例について、図面を参照しながら詳細に説明する。
【００１８】
［装置構成］
本発明に係る核医学診断装置の構成の一例を図１に示す。同図に示す核医学診断装置１は、ステップ回転モードでの検査が可能なＳＰＥＣＴ装置である。寝台３には、被検体Ｐ（患者）がたとえば仰向けの状態で載置されている。寝台３は、モータ等を含んで構成される寝台駆動機構３１により、図１に示すｘｙ面に直交する方向（ｚ方向＝被検体Ｐの体軸Ｏの方向）に移動される。被検体Ｐには、放射性同位元素があらかじめ投与されている。
【００１９】
架台２には、被検体Ｐから放出される放射線（ガンマ線）を検出する放射線検出器２１が設けられている。この放射線検出器２１は、放射線が入射される入射面（検出面）を被検体Ｐの体軸Ｏ方向に向けて配置されている。この入射面側には、放射線を光信号に変換するシンチレータが設けられ、その背面側にはシンチレータからの光信号を増幅するとともに電気信号に変換する光電子増倍管が設けられている。シンチレータの入射面には、放射線の入射方向を制限するための鉛製のコリメータが縦横に配置されている。放射線検出器２１は、放射線の検出結果を示す電気信号（検出信号）をコンピュータ４に出力する。この放射線検出器２１は、本発明の「検出手段」の一例に相当する。
【００２０】
放射線検出器２１は、モータ等を含んで構成される回転駆動機構２２により、被検体Ｐの体軸Ｏ周りを回転移動される。この回転駆動機構２２は、本発明の「回転駆動手段」の一例に相当する。
【００２１】
また、放射線検出器２１は、モータ等を含んで構成される近接離反機構２３により、被検体Ｐ（寝台３）に向かう方向及び被検体Ｐから離れる方向に移動される。換言すると、近接離反機構２３は、放射線検出器２１を、その回転方向（回転移動の接線方向）に直交する方向に移動させる。この近接離反機構２３は、本発明の「近接離反手段」の一例に相当する。
【００２２】
このように、放射線検出器２１は、回転駆動機構２２により被検体Ｐの体軸Ｏの方向を中心に回転移動されるとともに、近接離反機構２３により体軸Ｏに近接、離反するように移動されるようになっている。
【００２３】
なお、本実施形態では、寝台３に対して放射線検出器２１を近接、離反させるようになっているが、放射線検出器２１に対して寝台３をｘ方向、ｙ方向に移動させるように構成することも可能である。また、寝台３と放射線検出器２１の双方を相対的に近接、離反するようにしてもよい。
【００２４】
また、本実施形態では、放射線検出器２１が一つだけ設けられているが、例えば２つ、３つ、４つなど複数の放射線検出器を設けた構成を採用することも可能である（後述）。
【００２５】
コンピュータ４は、架台２や寝台３の動作制御や核医学画像の形成処理を実行するとともに、核医学診断装置１のコンソールとして使用される。このコンピュータ４は、主制御部４１、画像形成処理部４２、記憶部４３、機構制御部４４、操作部４５及び表示部４６を備えている。また、このコンピュータ４は、ＣＰＵやＭＰＵ等のマイクロプロセッサ、メモリ（ＲＡＭ）、ＲＯＭ、ハードディスクドライブ等のハードウェアを含んで構成されている。
【００２６】
主制御部４１は、核医学診断装置１の制御の中心を担うものであり、マイクロプロセッサ、メモリ、ＲＯＭ、ハードディスクドライブ等を含んで構成される。この主制御部４１の具体的な動作内容については後述する。この主制御部４１は、本発明の「制御手段」の一例に相当する。
【００２７】
画像形成処理部４２は、放射線検出器２１からの検出信号に基づいて、被検体Ｐの内部における放射性同位元素の分布を示す画像データを形成するように動作する。この画像形成処理部４２は、本発明の「画像形成手段」の一例に相当するものである。形成される画像データは、体内の病変部の画像や、血流量、脂肪酸代謝量などの機能分布画像の画像データである。画像形成処理部４２は、たとえば従来と同様に、次のような処理を行って画像データを形成する。
【００２８】
まず、前処理と呼ばれる処理を行う。この前処理では、放射線検出器２１からの検出信号が含むデータ（投影データ）に対し、散乱線補正や回転中心補正などの補正処理が施される。散乱線補正は、放射線が被検体Ｐ内を伝搬するときのコンプトン散乱に起因する減弱の影響を補正する処理である。また、回転中心補正は、放射線検出器２１が回転駆動機構２２により回転されるときの回転中心位置（体軸Ｏ）の移動に起因する投影データのズレを補正する処理である。これらの補正処理は、従来と同様の手法で実行される。
【００２９】
次に、画像形成処理部４２は、再構成処理と呼ばれる処理を行う。この再構成処理は、前処理が施された２次元の投影データに対し、たとえば３次元逆投影法や３次元高速フーリエ変換（ＦＦＴ）法などの公知の演算手法を実行することにより、３次元の画像データ（再構成データ）を形成する処理である。また、再構成処理では、放射線が被検体Ｐ内を伝搬するときに受ける強度の減弱作用を補正する減弱補正などの補正処理も実行される。
【００３０】
記憶部４３は、画像形成処理部４２により形成された画像データを記憶するもので、ハードディスクドライブ等の記憶装置によって構成される。また、記憶部４３は、本発明に特徴的な動作や処理を実行するためのコンピュータプログラム（診断用プログラム）とともに、各種のデータ（パラメータや患者データ等）を記憶する。記憶部４３へのデータの記憶処理や、記憶されたデータの読出処理は、主制御部４１により実行される。
【００３１】
機構制御部４４は、架台２に設けられた回転駆動機構２２、近接離反機構２３及び寝台駆動機構３１の動作をそれぞれ独立に制御する。この機構制御部４４は、マイクロプロセッサ、メモリ等を含んで構成される。
【００３２】
機構制御部４４は、主制御部４１の指示を受けて、回転駆動機構２２、近接離反機構２３、寝台駆動機構３１にそれぞれ指示信号を送信する。指示信号を受けた機構２２、２３、３１は、その指示信号にしたがって動作して指示内容に応じた駆動動作を実行する。
【００３３】
操作部４５は、核医学診断装置１に関する各種のデータ設定やデータ入力のための操作、装置各部の動作を要求するための操作等をユーザが行うためのものである。この操作部４５としては、たとえば、マウス、キーボード、トラックボール、ジョイスティック、コントロールパネル等の任意の操作デバイスや入力デバイスを適宜に用いることができる。
【００３４】
操作部４５は、ユーザによる操作内容に応じた操作信号を主制御部４１に入力する。主制御部４１は、この操作信号に基づいて、設定データや入力データに応じたデータ管理を行ったり、装置各部の制御を行ったりする。
【００３５】
表示部４６は、画像形成処理部４２により形成された画像データに基づく画像、核医学診断装置１の操作画面やデータ設定画面等の各種画面、患者データ等の各種データなどを表示する。表示部４６は、主制御部４１から表示内容を示す信号（ビデオ信号）を受けて、その表示内容を表示する。この表示部４６としては、たとえば、液晶ディスプレイ（ＬＣＤ）やＣＲＴディスプレイ等の任意の表示装置を適宜に用いることができる。
【００３６】
［動作態様］
以上のような構成を有する核医学診断装置１の動作態様について図２〜図５を参照しつつ説明する。図２、図３に示すフローチャートは、この核医学診断装置１を用いて行うステップ回転モードでの診断の流れの一例を表している。以下、このフローチャートに基づいて装置の動作を説明する。また、図４、図５は、この装置動作を詳細に説明するための図面である。
【００３７】
（ステップＳ１、Ｓ２）
まず、検者が、操作部４５を操作して、ステップ回転モードにおける角度間隔を設定する（Ｓ１）。主制御部４１は、設定された角度間隔で３６０度を除算して、複数の角度方向を求める（Ｓ２）。
【００３８】
図４は、「角度間隔＝１５度」に設定された場合における、複数の角度方向の設定態様の一例を表している。同図では、２４（＝３６０÷１５）個の角度方向０度、１５度、３０度、・・・、３４５度が設定されている。ここでは、角度方向０度の方向を鉛直下方に設定しているが、一般に、任意の方向に設定することが可能である。主制御部４１は、このように設定した２４個の角度方向の情報を記憶部４３に記憶させる。なお、「角度方向」とは、角度によって特定される方向を意味するものとする。
【００３９】
（ステップＳ３）
次に、主制御部４１が、ステップＳ２で求めた複数の角度方向のそれぞれに対応する記憶領域を記憶部２４に指定する（Ｓ３）。各記憶領域は、その角度方向における放射線検出器２１の検出結果に基づく画像データが格納できるだけの記憶容量とされる。また、各記憶領域は、たとえばディレクトリ情報によって特定されるようになっており、そのディレクトリ情報と角度方向とを関連付けることにより、角度方向と記憶領域との対応付けを行うことができる。
【００４０】
図５は、図４に示す角度方向の設定態様に対する記憶領域の設定態様の一例を表している。同図では、２４個の記憶領域４３ａ、４３ｂ、４３ｃ、・・・、４３ｘを記憶部４３に設定している。各記憶領域４３ａ〜４３ｘを示す枠内に括弧書きで記載された内容は、その記憶領域に対応する角度方向を示している。たとえば、記憶領域４３ａは角度方向０度に対応する記憶領域であり、記憶領域４３ｘは角度方向３４５度に対応する記憶領域である。
【００４１】
（ステップＳ４）
以上の準備が終了したら、患者（被検体Ｐ）を寝台３上にたとえば仰向けに横たわらせるとともに、両腕を頭部側に移動させてバー（図示せず）を握らせ、腕を上げた体位を取らせる（Ｓ４）。
【００４２】
（ステップＳ５）
次に、ステップＳ２で求められた複数の角度方向のうちから、腕が体側にある場合にその腕が邪魔になって放射線検出器２１を胴体に近接させられない角度方向を設定する（Ｓ５）。ここで設定される角度方向を「特定角度方向」と呼ぶことにする。
【００４３】
このステップＳ５の特定角度方向の設定は、検者が操作部４５を操作することで指定するように構成してもよいし、また、ステップＳ１で設定された角度間隔やステップＳ２で設定された角度方向などに基づいて、主制御部４１が自動設定するように構成してもよい。また、患者に腕を上げた体位を取らせる前に（つまりステップＳ４の前に）、特定角度方向の設定を行うようにしてもよい。
【００４４】
なお、特定角度方向は、角度間隔や患者の体型等に応じて任意の個数だけ設定できるが、ステップＳ２で設定された複数の角度方向の全てを設定することはない。一般に、特定角度方向の設定個数は、全角度方向の数分の一程度である。
【００４５】
図４に示す角度方向の設定態様では、被検体Ｐの左体側方向に位置する角度方向７５度、９０度、１０５度と、右体側方向に位置する角度方向２５５度、２７０度、２８５度の６個の角度方向が、特定角度方向に設定されている。
【００４６】
なお、図４に示す２４個の角度方向のうち、角度方向を示す数字に下線を付してあるものが特定角度方向に設定された角度方向である。同様に、図５に示す２４個の記憶領域４３ａ〜４３ｘのうち、設定された特定角度方向に対応する記憶領域４３ｆ、４３ｇ、４３ｈ、４３ｒ、４３ｓ、４３ｔを示す枠内の文字列には、他の角度方向と視覚的に区別するために下線を付してある。
【００４７】
（ステップＳ６）
主制御部４１は、設定された特定角度方向に基づいて、ステップＳ２で設定された複数の角度方向における放射線の検出順序を設定する（Ｓ６）。このとき、たとえば、特定角度方向における放射線検出を先に行い、その後で他の角度方向における放射線検出を行うように順序を設定する。設定された放射線検出の順序の情報は、記憶部４３に記憶される。
【００４８】
図５において、各記憶領域４３ａ〜４３ｘの下方位置にカギ括弧で記載された数字は、その記憶領域に対応する角度方向の放射線検出順、換言すると、その記憶領域に画像データを記憶させる順番を示している。
【００４９】
この図５では、まず特定角度方向を角度の値の小さいものから順に放射線を検出し、それから、特定角度方向以外の角度方向を角度の値の小さいものから順に放射線を検出するように設定されている。すなわち、第１番目に角度方向７５度において放射線検出を行ってその画像データを記憶領域４３ｆに記憶し、第２番目に角度方向９０度において放射線検出を行ってその画像データを記憶領域４３ｇに記憶し、・・・、第４番目に角度方向２５５度において放射線検出を行ってその画像データを記憶領域４３ｒに記憶し、・・・、第７番目に角度方向０度において放射線検出を行ってその画像データを記憶領域４３ａに記憶し、・・・・という順序で、２４個の角度方向における放射線検出と画像データの記憶処理とを実行するように設定されている。
【００５０】
（ステップＳ７〜Ｓ９）
放射線検出順序の設定の終了後、検者は、操作部４５を操作して、検査の開始を要求する（Ｓ７）。以下、図４、図５に示す設定態様の場合を参照して説明する。
【００５１】
主制御部４１は、ステップＳ６で設定された放射線検出順序の情報に基づいて機構制御部４４に指示を送る。機構制御部４４は、この指示に基づいて回転駆動機構２２を制御し、第１番目に放射線検出を行う角度方向７５度に放射線検出器２１を移動させる（Ｓ８）。
【００５２】
放射線検出器２１が第１番目の角度方向７５度に配置されたら、放射線検出器２１を被検体Ｐに近接させる（Ｓ９）。この近接動作は、機構制御部４４が近接離反機構２３を制御して自動的に行ってもよいし、検者が手作業で行ってもよい。
【００５３】
なお、自動的に近接動作を行う場合には、たとえば、放射線検出器２１の被検体Ｐ側の面（検出面）に既知の測距センサを設けて検出面と被検体Ｐとの距離を検知するとともに、主制御部４１が、その検知結果に基づいて機構制御部４４を制御することにより、被検体Ｐに対して所定距離を介する位置まで放射線検出器２１を移動させることが可能である。
【００５４】
（ステップＳ１０〜Ｓ１２）
放射線検出器２１が被検者Ｐに近接配置されると、放射線検出器２１は、第１番目の角度方向７５度において、被検体Ｐ内の放射性同位元素から放出される放射線を検出し、コンピュータ４に検出信号を入力する（Ｓ１０）。このとき、ステップＳ９において手作業で近接動作を行った場合、放射線検出器２１は、所定の検出開始操作に対応して放射線を検出し検出信号を出力する。
【００５５】
画像形成処理部４２は、この検出信号に基づいて、角度方向７５度における画像データを形成する（Ｓ１１）。主制御部４１は、この画像データを、記憶部４３の記憶領域４３ｆに記憶させる（Ｓ１２）。
【００５６】
（ステップＳ１３〜Ｓ２０）
次に、機構制御部４４は、主制御部４１の指示に基づいて回転駆動機構２２を制御し、放射線検出器２１を次の角度方向（第２番目の角度方向）９０度に移動させる（Ｓ１３）。放射線検出器２１は、第２番目の角度方向９０度において放射線を検出して検出信号を出力する（Ｓ１４）。画像形成処理部４２は、この検出信号に基づいて、角度方向９０度における画像データを形成する（Ｓ１５）。主制御部４１は、この画像データを、記憶部４３の記憶領域４３ｇに記憶させる（Ｓ１６）。
【００５７】
同様に、放射線検出器２１が第３番目の角度方向１０５度に移動され（Ｓ１７）、放射線検出器２１により放射線が検出される（Ｓ１８）。画像形成処理部４２は、検出信号に基づいて画像データを形成し（Ｓ１９）、この画像データが記憶領域４３ｈに記憶される（Ｓ２０）。
【００５８】
（ステップＳ２１〜Ｓ２３）
３つの特定角度方向７５度、９０度、１０５度における放射線検出等が終わったら、駆動制御部４４は、近接離反機構２３を制御して、放射線検出器２１を被検体Ｐから（たとえば最も離反された位置まで）離反させる（Ｓ２１）。続いて、駆動制御部４４は、回転駆動機構２２を制御して、放射線検出器２１を第４番目の角度方向２５５度に移動させる（Ｓ２２）。更に、駆動制御部４４は、近接離反機構２３を制御して、放射線検出器２１を被検体Ｐに近接させる（Ｓ２３）。
【００５９】
（ステップＳ２４）
放射線検出器２１が角度方向２５５度で近接配置されたら、検者は、操作部４５を操作して、検査再開の指示を入力する。主制御部４１は、操作部４５からの信号を受けて検査を再開し、ステップＳ１０〜Ｓ２０と同様に、機構制御部４４等を制御して、角度方向２５５度、２７０度、２８５度に放射線検出器２１を順次に配置させて放射線を検出させるとともに、これらの角度方向に対応する画像データを記憶領域４３ｒ、４３ｓ、４３ｔに順次に記憶させる（Ｓ２４）。以上で、図４に示す６個の特定角度方向７５度、９０度、１０５度、２５５度、２７０度、２８５度に関する処理は完了となり、続いて特定角度方向以外の角度方向に関する処理に移行する。
【００６０】
（ステップＳ２５〜Ｓ２８）
次に、機構制御部４４は、近接離反機構２３を制御して、特定角度方向２８５度に位置する放射線検出器２１を被検体Ｐから離反させ（Ｓ２５）、被検体Ｐの腕を体側位置に戻させる（Ｓ２６）。それから、機構制御部４４は、回転駆動機構２２を制御して、放射線検出器２１を角度方向０度に移動させ（Ｓ２７）、更に近接離反機構２３を制御して、放射線検出器２１を被検体Ｐに近接させる（Ｓ２８）。
【００６１】
（ステップＳ２９）
主制御部４１は、機構制御部４４等を制御して、角度方向０度、１５度、３０度、４５度、６０度に放射線検出器２１を順次に配置させて放射線を検出させるとともに、これらの角度方向に対応する画像データを記憶領域４３ａ、４３ｂ、４３ｃ、４３ｄ、４３ｅに順次に記憶させる（Ｓ２９）。
【００６２】
（ステップＳ３０〜Ｓ３２）
続いて、機構制御部４４は、近接離反機構２３を制御して、特定角度方向６０度に位置する放射線検出器２１を被検体Ｐから離反させ（Ｓ３０）、回転駆動機構２２を制御して、放射線検出器２１を角度方向１２０度に移動させ（Ｓ３１）、更に近接離反機構２３を制御して、放射線検出器２１を被検体Ｐに近接させる（Ｓ３２）。
【００６３】
（ステップＳ３３）
主制御部４１は、機構制御部４４等を制御して、角度方向１２０度、１３５度、１５０度、１６５度、１８０度、１９５度、２１０度、２２５度、２４０度に放射線検出器２１を順次に配置させて放射線を検出させるとともに、これらの角度方向に対応する画像データを記憶領域４３ｉ、４３ｊ、４３ｋ、４３ｌ、４３ｍ、４３ｎ、４３ｏ、４３ｐ、４３ｑに順次に記憶させる（Ｓ３３）。
【００６４】
（ステップＳ３４〜Ｓ３６）
次に、機構制御部４４は、近接離反機構２３を制御して、特定角度方向２４０度に位置する放射線検出器２１を被検体Ｐから離反させ（Ｓ３４）、回転駆動機構２２を制御して、放射線検出器２１を角度方向３００度に移動させ（Ｓ３５）、更に近接離反機構２３を制御して、放射線検出器２１を被検体Ｐに近接させる（Ｓ３６）。
【００６５】
（ステップＳ３７、Ｓ３８）
主制御部４１は、機構制御部４４等を制御して、角度方向３００度、３１５度、３３０度、３４５度に放射線検出器２１を順次に配置させて放射線を検出させるとともに、これらの角度方向に対応する画像データを記憶領域４３ｕ、４３ｖ、４３ｗ、４３ｘに順次に記憶させる（Ｓ３７）。
【００６６】
角度位置３４５度に関する処理が終了したら、機構制御部４４は、近接離反機構２３を制御して、放射線検出器２１を被検体Ｐから離反させ（Ｓ３８）、ステップ回転モードによる検査は終了となる。
【００６７】
〔動作態様のまとめ〕
以上に説明した核医学診断装置１の動作態様は、図６に示すフローチャートのようにまとめることができる。なお、同図においては、放射線検出器２１を「検出器」と略称する。
【００６８】
図２のフローチャートのステップＳ１〜Ｓ７を実行後（Ｓ１０１）、特定角度方向のうち第１番目の特定角度方向に放射線検出器２１を移動し、被検体Ｐに近接配置する（Ｓ１０２）。そして、放射線検出器２１によって放射線を検出し（Ｓ１０３）、画像形成処理部４２によって画像データを形成する（Ｓ１０４）。その画像データは、第１番目の特定角度方向に対応する記憶領域に記憶される（Ｓ１０５）。
【００６９】
全ての特定角度方向について放射線の検出を行ったか判断し（Ｓ１０６）、全てについて行っていない場合（Ｓ１０６；Ｎ）、次の順番の特定角度方向に放射線検出器２１を移動させ（Ｓ１０７）、放射線の検出（Ｓ１０３）、画像データの形成（Ｓ１０４）及び記憶（Ｓ１０５）を行う。
【００７０】
なお、ステップＳ１０７で放射線検出器２１を移動させるときに、移動前の特定角度方向と移動後の特定角度方向とが隣接していない場合（つまり、角度の差がステップＳ１で設定した角度間隔を超える場合；図３においては１５度を超える、すなわち３０度以上の場合）には、放射線検出器２１を被検体Ｐから一旦離反させ、角度方向を変更し、被検体Ｐに近接させる。
【００７１】
このようにして全ての特定角度方向について放射線検出が終わったら（Ｓ１０６；Ｙ）、放射線検出器２１を被検体Ｐから離反させ（Ｓ１０８）、患者の腕を体側位置に戻させる（Ｓ１０９）。
【００７２】
患者の腕の位置を戻したら、特定角度方向以外の角度方向（通常角度方向と呼ぶ。）のうち、最初の角度方向（つまり、最も順番の若い通常角度方向）に放射線検出器２１を移動し（Ｓ１１０）、被検体Ｐに近接させる（Ｓ１１１）。検者が操作部４５を操作して検査再開の指示を入力したことに対応し、この最初の通常角度方向において放射線を検出し（Ｓ１１２）、その検出結果に基づいて画像データを形成し（Ｓ１１３）、対応する記憶領域に画像データを記憶する（Ｓ１１４）。
【００７３】
全ての通常角度方向について放射線の検出を行ったか判断し（Ｓ１１５）、全てについて行っていない場合（Ｓ１１５；Ｎ）、次の順番の通常角度方向に放射線検出器２１を移動させ（Ｓ１１６）、放射線の検出（Ｓ１１２）、画像データの形成（Ｓ１１３）及び記憶（Ｓ１１４）を行う。
【００７４】
ステップＳ１１６においても、移動前の通常角度方向と移動後の通常角度方向とが隣接していない場合には、放射線検出器２１を被検体Ｐから一旦離反させ、角度方向を変更し、被検体Ｐに近接させるように動作する。
【００７５】
このようにして全ての通常角度方向（したがって全角度方向）について放射線検出が終わったら（Ｓ１１５；Ｙ）、放射線検出器２１を被検体Ｐから離反させ（Ｓ１１７）、ステップ回転モードによる検査を終了する。
【００７６】
〔他の動作態様〕
図２、３及び図６においては、特定角度方向に関する処理を行った後に通常角度方向に関する処理を行うようになっているが、逆であってもよい（図７に示すフローチャートを参照）。
【００７７】
図２のフローチャートのステップＳ１〜Ｓ７を実行後（Ｓ２０１）、通常角度方向についてそれぞれ順番に、放射線の検出、画像データの形成、画像データの記憶を行い（Ｓ２０２〜Ｓ２０７）、放射線検出器２１を離反させて患者の腕を体側位置に戻させる（Ｓ２０８、Ｓ２０９）。それから、特定角度方向についてそれぞれ順番に、放射線の検出、画像データの形成、画像データの記憶を行い（Ｓ２１０〜Ｓ２１６）、検出器を離反させて（Ｓ２１７）検査を終了する。
【００７８】
［作用・効果］
以上のような核医学診断装置１によれば、次のような作用と効果が奏される。
【００７９】
すなわち、この核医学診断装置１は、ステップ回転モードによる検査を行うときに、複数の角度方向のうちの特定角度方向について放射線検出器２１を順次に移動させた後に一旦停止させ、その後に検査を再開して放射線検出器２１を通常角度方向に順次に移動させるように動作するものである。
【００８０】
それにより、腕が邪魔になって放射線検出器２１を胴体に近接できない特定角度方向（被検体Ｐの体側方向）にて放射線検出を行っている間のみ、患者は腕を上げた体位を取っていればよく、通常角度方向にて放射線検出を行っている間は、腕を体側に位置させておくことができる。
【００８１】
従来の核医学診断装置では、通常角度方向を含む全ての角度方向にて放射線検出を行っている間、ずっと腕を上げた体位を取り続ける必要があった。前述のように、特定角度方向に指定される角度方向は、全角度方向の数分の１程度である。したがって、本実施形態の核医学診断装置１によれば、患者が腕を上げた体位を取っている時間は、従来の数分の１程度となり、患者に与える負担の大幅な軽減を図ることができる。
【００８２】
また、本実施形態の核医学診断装置１は、操作部４５を用いることにより、特定角度方向を適宜に指定できるので、各患者毎に適した特定角度方向を設定してステップ回転モードによる検査を行うことが可能である。
【００８３】
また、本実施形態の核医学診断装置１は、放射線検出器２１を現在の角度方向に隣接しない他の角度方向に移動させるときに、放射線検出器２１を一旦被検体Ｐから離反させてから当該他の角度方向に移動させるとともに、当該他の角度方向に移動されてから放射線検出器２１を被検体Ｐに近接させるようになっている。このように、被検体Ｐから離反させて距離を確保してから放射線検出器２１を移動させるので、ステップ回転モードの検査の安全性を担保することができる。
【００８４】
また、本実施形態の核医学診断装置１は、複数の角度方向のそれぞれに対応する記憶領域を記憶部４３に指定しておくとともに、複数の角度方向における放射線の検出信号に基づいて画像データを順次に形成し、その画像データを記憶部４３の対応する記憶領域に順次に記憶させるように動作する。したがって、複数の角度方向について任意の順序で放射線検出を行っても、どの画像データがどの角度方向に対応するかを識別することができる。それにより、たとえば３次元画像の形成処理などを支障無く実行することができる。
【００８５】
［変形例］
以上に詳述した構成は、本発明を好適に実施するための一例に過ぎないものである。したがって、本発明の要旨の範囲内において、任意の変形を適宜に施すことが可能である。
【００８６】
たとえば、上記の実施形態においては、単一の放射線検出器を備えた核医学診断装置について説明したが、複数の放射線検出器を備えた核医学診断装置に本発明を適用することも可能である（図８〜図１１参照）。このような複数検出器の核医学診断装置を用いることにより、ステップ回転モードによる検査の検査時間を短縮することができる。
【００８７】
なお、複数の放射線検出器を具備する場合においても、画像データの形成処理は、上記実施形態と同様にして行うことができる。また、画像データの記憶処理については、放射線検出順に合わせてデータ記憶順を適宜に設定すればよい。
【００８８】
〔２検出器の場合〕
まず、図８を参照しつつ、放射線検出器を２つ備えた核医学診断装置に対する適用例を説明する。なお、放射線検出器の移動態様のみ詳細に説明することにする（以下同様）。
【００８９】
図８には、互いの検出面を対峙させて配設された一対の放射線検出器２１Ａ、２１Ｂが記載されている。放射線検出器２１Ａ、２２Ｂは、検出面の対峙状態を保持したまま一体的に回転されるようになっている。この構成においては、たとえば次のようにしてステップ回転モードによる検査を行うことができる。
【００９０】
まず、患者が腕を上げた体位の状態で、放射線検出器２１Ａを特定角度方向７５度に配置させ、放射線検出器２１Ｂを特定角度方向２５５度に配置させ、放射線検出を同時に行う。
【００９１】
次に、放射線検出器２１Ａを特定角度方向９０度に、放射線検出器２１Ｂを特定角度方向２７０度にそれぞれ移動して放射線検出を同時に行う。
【００９２】
更に、放射線検出器２１Ａを特定角度方向１０５度に、放射線検出器２１Ｂを特定角度方向２８５度にそれぞれ移動して放射線検出を同時に行う。以上で特定角度方向に関する処理は終了となる。
【００９３】
ここで、放射線検出器２１Ａ、２１Ｂを被検体Ｐから離反させ、腕を体側位置に戻させる。そして、放射線検出器２１Ａを通常角度方向１２０度に、放射線検出器２１Ｂを通常角度方向３００度にそれぞれ移動し、被検体Ｐに近接させて放射線検出を同時に行う。
【００９４】
以下、放射線検出器２１Ａを通常角度方向１３５度、１５０度、１６５度、１８０度、１９５度、２１０度、２２５度、２４０度に順次に移動させるとともに、放射線検出器２１Ｂを通常角度方向３１５度、３３０度、３４５度、０度、１５度、３０度、４５度、６０度に順次に移動させ、対向する２つの通常角度方向において放射線検出を同時に行う。以上で、検査は終了となる。
【００９５】
このように、対峙する２つの放射線検出器を有する核医学診断装置に本発明を適用することにより、ステップ回転モードにおいて患者が腕を上げた体位を取っている時間を短縮して負担の軽減を図ることができる。なお、特定角度方向における放射線検出の前に、通常角度方向の放射線検出を行うようにしてもよい（以下同様）。
【００９６】
〔２検出器の場合〕
図９には、図８と同じく２検出器であるが、検出器の配置態様が異なった構成が記載されている。同図に示す放射線検出器２１Ｃ、２１Ｄは、互いの検出面が直交するように配設されている。放射線検出器２１Ａ、２２Ｂは、検出面の直交状態を保持したまま一体的に回転されるようになっている。この構成においては、たとえば次のようにしてステップ回転モードによる検査を行うことができる。
【００９７】
なお、以下において「右回り」とは、図９紙面に向かって右回りであること、つまり、角度方向を示す数値が大きくなる方向に回転することを意味するものとする（「左回り」は右回りの逆方向である。）。
【００９８】
まず、患者が腕を上げた体位の状態で、放射線検出器２１Ｃを特定角度方向７５度に配置させて放射線検出を行う。次に、放射線検出器２１Ｃ、２１Ｄを右回りに１５度回転させ、放射線検出器２１Ｃを特定角度方向９０度に配置して放射線検出を行い、更に右回りに１５度回転させて放射線検出器２１Ｃを特定角度方向１０５度に配置して放射線検出を行う。このとき、放射線検出器２１Ｄは、通常角度方向１９５度の位置に配置している。
【００９９】
続いて、放射線検出器２１Ｃ、２１Ｄを右回りに６０度回転させ、放射線検出器２１Ｄを特定角度方向２５５度に移動して放射線検出を行う。次に、放射線検出器２１Ｃ、２１Ｄを右回りに１５度回転させ、放射線検出器２１Ｄを特定角度方向２７０度に配置して放射線検出を行い、更に右回りに１５度回転させて放射線検出器２１Ｄを特定角度方向２８５度に配置して放射線検出を行う。このとき、放射線検出器２１Ｃは、通常角度方向１９５度の位置に配置している。
【０１００】
ここで、放射線検出器２１Ｃ、２１Ｄを被検体Ｐから離反させ、腕を体側位置に戻させる。
【０１０１】
次に、放射線検出器２１Ｃ、２１Ｄを被検体Ｐに再度近接させ、放射線検出器２１Ｃによって通常角度方向１９５度における放射線検出を行う（上記の特定角度方向２８５度における検出と同時に行うようにしてもよい。）。続いて、放射線検出器２１Ｃ、２１Ｄを右回りに順次１５度回転させつつ、放射線検出器２１Ｃによる通常角度方向２１０度、２２５度、２４０度における放射線検出と、放射線検出２１Ｄによる通常角度方向３００度、３１５度、３３０度における放射線検出とを、それぞれ同時に行う。
【０１０２】
更に、放射線検出器２１Ｃ、２１Ｄを右回りに順次１５度回転させつつ、放射線検出器２１Ｄによって通常角度方向３４５度、０度、１５度における放射線検出を行った後、放射線検出器２１Ｃによる通常角度方向１２０度、１３５度、１５０度における放射線検出と、放射線検出２１Ｄによる通常角度方向３０度、４５度、６０度における放射線検出とを、それぞれ同時に行う。最後に、放射線検出器２１Ｃで通常角度方向１６５度、１８０度における放射線検出を行う。
【０１０３】
このように、互いの検出面が直交する２つの放射線検出器を有する核医学診断装置に本発明を適用することにより、ステップ回転モードにおいて患者が腕を上げた体位を取っている時間を短縮して負担の軽減を図ることができる。
【０１０４】
なお、放射線検出器２１Ｃ、２１Ｄの一方が特定角度方向に配置され、他方が通常角度方向に配置されているときに、双方における放射線検出を同時に行うようにしてもよい（以下、３、４検出器の場合においても同様）。
【０１０５】
〔３検出器の場合〕
図１０は、３つの放射線検出器を備える核医学診断装置における放射線検出器の配設態様の一例を示している。同図の配設態様は、３つの放射線検出がそれぞれ角度１２０度を介して配設されたものである。
【０１０６】
なお、３つの放射線検出器を備える核医学診断装置としては、２つの放射線検出器を互いに対峙するように配設し、これら２つに直交するように他の１つを配設した構成もあるが、図８、図９の場合を参照して容易に放射線検出順序を設定できるので、説明は省略する。
【０１０７】
さて、図１０の構成においては、たとえば次のようにしてステップ回転モードによる検査を行うことができる。
【０１０８】
まず、患者が腕を上げた体位の状態で、放射線検出器２１Ｅを特定角度方向７５度に配置させて放射線検出を行う。次に、放射線検出器２１Ｅ、２１Ｆ、２１Ｇを右回りに１５度ずつ回転させ、放射線検出器２１Ｅにより特定角度方向９０度、１０５度における放射線検出を行う。このとき、放射線検出器２１Ｆは、通常角度方向２２５度の位置に配置している。
【０１０９】
次に、放射線検出器２１Ｅ、２１Ｆ、２１Ｇを右回りに３０度回転させ、放射線検出器２１Ｆにより特定角度方向２５５度における放射線検出を行い、更に、右回りに１５度ずつ回転させつつ、放射線検出器２１Ｆにより特定角度方向２７０度、２８５度における放射線検出を行う。このとき、放射線検出器２１Ｅ、２１Ｇは、それぞれ通常角度方向１６５度、４５度の位置に配置している。
【０１１０】
ここで、放射線検出器２１Ｃ、２１Ｄを被検体Ｐから離反させ、腕を体側位置に戻させる。
【０１１１】
続いて、放射線検出器２１Ｅ、２１Ｆ、２１Ｇを被検体Ｐに近接させ、放射線検出器２１Ｅによる通常角度方向１６５度における放射線検出と、放射線検出器２１Ｇによる通常角度方向４５度における放射線検出とを同時に行う。
【０１１２】
それから、放射線検出器２１Ｅ、２１Ｆ、２１Ｇを右回りに１５度ずつ回転しつつ、放射線検出器２１Ｅ、２１Ｆ、２１Ｇによる通常角度方向１８０度、３００度、６０度における放射線検出を同時に行うとともに、放射線検出器２１Ｅ、２１Ｆによる通常角度方向１９５度、３１５度における放射線検出と、通常角度方向２１０度、３３０度における放射線検出と、通常角度方向２２５度、３４５度における放射線検出とを、それぞれ同時に行う。
【０１１３】
更に１５度ずつ回転しつつ、放射線検出器２１Ｅ、２１Ｆ、２１Ｇを右回りに１５度ずつ回転しつつ、放射線検出器２１Ｅ、２１Ｆ、２１Ｇによる通常角度方向２４０度、０度、１２０度における放射線検出を同時に行うとともに、放射線検出器２１Ｆ、２１Ｇによる通常角度方向１５度、１３５度における放射線検出と、通常角度方向３０度、１５０度における放射線検出とを、それぞれ同時に行う。
【０１１４】
このような３検出器の核医学診断装置に本発明を適用することにより、ステップ回転モードにおいて患者が腕を上げた体位を取っている時間を短縮して負担の軽減を図ることができる。
【０１１５】
〔４検出器の場合〕
図１１に示す４検出器の場合については、図８、図９に示した場合を容易に応用できるので、詳細な説明は省略する。
【０１１６】
〔その他の変形例〕
複数の角度方向についてそれぞれ形成される画像データの記憶態様の変形例を説明する。放射線検出器２１は、複数の角度方向に順次に配置されつつ、各角度方向において放射線を検出して検出信号を出力する。コンピュータ４の画像形成処理部４２は、順次に入力される検出信号に基づいて、各角度方向に対応する画像データを形成する。ここまでは、上記実施形態の核医学診断装置１と同様である。
【０１１７】
主制御部４１は、画像形成処理部４２によって順次に形成される画像データに対し、その画像データの基になった検出信号が得られた角度方向を識別する識別情報を付与する。この識別情報は、たとえば、その角度方向を示す数値からなる文字列情報とされる（たとえば角度方向１８０度に対応する画像データに文字列情報「１８０」を付与する。）。
【０１１８】
主制御部４１は、このような識別情報が付与された画像データを記憶部４３の所定の記憶領域に記憶させる。このとき、その画像データの識別情報と記憶領域のディレクトリとを関連付けておく（関連情報）。
【０１１９】
主制御部４１は、記憶された画像データを読み出すときに、上記の関連情報を参照して、角度方向の順序（図３では、０度、１５度、３０度、・・・、３４５度）にしたがって記憶領域に順次アクセスして画像データを読み出す。このように、複数の角度方向について任意の順序で放射線検出を行うときでも、どの画像データがどの角度方向に相当するかを識別することができる。
【０１２０】
［診断用プログラム］
本発明に係る診断用プログラムについて説明する。上述した核医学診断装置１の各種動作（図２、図３、図６、図７参照）は、この診断用プログラムに従って実行される。この診断用プログラムは、核医学診断装置１のコンピュータ４に内蔵されたハードディスクドライブやＲＯＭ等の記憶装置、若しくは、核医学診断装置１がアクセス可能なコンピュータ等に内蔵の記憶装置にあらかじめ記憶されている。
【０１２１】
なお、この診断用プログラムを、コンピュータが読み取り可能な任意の記憶媒体に記憶させることができる。たとえば、光ディスク、光磁気ディスク（ＣＤ−ＲＯＭ／ＤＶＤ−ＲＡＭ／ＤＶＤ−ＲＯＭ／ＭＯ等）、磁気記憶媒体（ハードディスク／フロッピー（登録商標）ディスク／ＺＩＰ等）などに記憶させることが可能である。
【図面の簡単な説明】
【０１２２】
【図１】本発明に係る核医学診断装置の好適な実施の形態の全体構成の一例を表す概略ブロック図である。
【図２】本発明に係る核医学診断装置の好適な実施の形態の動作態様の一例を表すフローチャートである。
【図３】本発明に係る核医学診断装置の好適な実施の形態の動作態様の一例を表すフローチャートである。
【図４】本発明に係る核医学診断装置の好適な実施の形態が実行するステップ回転モードによる検査を説明するための概略説明図である。
【図５】本発明に係る核医学診断装置の好適な実施の形態による画像データの記憶処理を説明するための概略説明図である。
【図６】本発明に係る核医学診断装置の好適な実施の形態の動作態様の一例を表すフローチャートである。
【図７】本発明に係る核医学診断装置の好適な実施の形態の動作態様の一例を表すフローチャートである。
【図８】本発明に係る核医学診断装置の好適な実施の形態が実行するステップ回転モードによる検査を説明するための概略説明図である。
【図９】本発明に係る核医学診断装置の好適な実施の形態が実行するステップ回転モードによる検査を説明するための概略説明図である。
【図１０】本発明に係る核医学診断装置の好適な実施の形態が実行するステップ回転モードによる検査を説明するための概略説明図である。
【図１１】本発明に係る核医学診断装置の好適な実施の形態が実行するステップ回転モードによる検査を説明するための概略説明図である。
【符号の説明】
【０１２３】
１  核医学診断装置
２  架台
２１  放射線検出器
２２  回転駆動機構
２３  近接離反機構
３  寝台
３１  寝台駆動機構
４  コンピュータ
４１  主制御部
４２  画像形成処理部
４３  記憶部
４４  機構制御部
４５  操作部
４６  表示部
Ｐ  被検体
Ｏ  体軸
【図１】
2007170892.tif 000003
【図２】
2007170892.tif 000004
【図３】
2007170892.tif 000005
【図４】
2007170892.tif 000006
【図５】
2007170892.tif 000007
【図６】
2007170892.tif 000008
【図７】
2007170892.tif 000009
【図８】
2007170892.tif 000010
【図９】
2007170892.tif 000011
【図１０】
2007170892.tif 000012
【図１１】
2007170892.tif 000013